(57)【要約】【課題】  操作監視画面に対する操業時の情報について、漏れや紛失がなく、直感的な操作が可能で、かつ情報の再利用が容易な操作監視装置を提供することを目的とする。【解決手段】  操作監視画面２０１を介してプラントの制御運転と監視が行われる操作監視装置において、操作監視画面２０１上に透明シート２０２とその上に記入される記入情報２０３，２０４を重ねて表示する透明シート表示部３０７と、操作監視画面ファイル、記入情報ファイル及び操作監視画面ファイルと記入情報ファイルの対応情報を保持する記憶部３０１，３０２，３０５とを備えたことを特徴とする。【選択図】  図２
2008171166.tif 000002
【特許請求の範囲】
【請求項１】
操作監視画面を介してプラントの制御運転と監視が行われる操作監視装置において、
前記操作監視画面上に透明シートとその上に記入される記入情報を重ねて表示する透明シート表示部と、
前記操作監視画面ファイル、前記記入情報ファイル及び前記操作監視画面ファイルと前記記入情報ファイルの対応情報を保持する記憶部と
を備えたことを特徴とする操作監視装置。
【請求項２】
前記対応情報に基づいて前記操作監視画面ファイルと対応する前記記入情報ファイルを前記透明シート表示部に送る画面管理部
を備えたことを特徴とする請求項１記載の操作監視装置。
【請求項３】
前記対応情報は前記記入情報ファイルと前記操作監視画面ファイルとの対応表からなることを特徴とする請求項１又は請求項２記載の操作監視装置。
【請求項４】
前記透明シートへ情報記入をしない場合には、オペレータによる操作は前記操作監視画面に対して作用する
ことを特徴とする請求項１乃至請求項３のいずれかに記載の操作監視装置。
【請求項５】
前記記入情報は少なくとも文字列、図形情報及びリンク情報のいずれかからなる
ことを特徴とする請求項１乃至請求項４のいずれかに記載の操作監視装置。
【発明の詳細な説明】
【技術分野】
【０００１】
本発明は、プラントの制御運転と監視を行う操作監視装置に関し、特に操作監視画面の高機能化に関する。
【背景技術】
【０００２】
従来から、表示装置を用いてプラントの制御運転や監視を行うための、いわゆる分散形制御システムと呼ばれる生産制御システムがある。このような分散形制御システムは、表示装置の画面に、プラントの制御運転や監視に必要な各種の情報を表示し、プラントに異常が発生したときにそのことを警報表示してオペレータに通知し、オペレータが異常に対して適切な指示や処置を行うことができる構成となっている。
【０００３】
図４は従来の分散形制御システムの構成を示す構成ブロック図である。スケジュール作成装置１は例えばバッチ処理のスケジュールを作成し、通信バスＢＳ１を介してスケジュール情報を操作監視装置２に送る。操作監視装置２は、スケジュール作成装置１から送られたスケジュール情報をもとに、バッチ処理の実行処方を作成し、バッチ処理の起動をかける。制御装置３は、通信バスＢＳ２を介して操作監視装置２から起動をかけられると、実行処方に従ってバッチ処理をプラント４に実行させる。
【０００４】
図５は従来の操作監視装置の使用状況を示す説明図である。工場の操作監視を行うオペレータは、生産制御システムの端末である操作監視装置２を構成する操作監視コンソールにて、監視範囲や監視目的に応じた画面を表示させて操業を行っている。この際に表示する画面（以下操作監視画面と呼ぶ）には単に制御情報を表示する機能しか備わっていない。このため、操業時の情報、つまり操業時に気付いた事項、次の勤務者への引継ぎ事項、トラブル時の状況記録事項・対処記録事項などの情報は、操作監視画面とは別に紙３やホワイトボード４を用いて運用している。
【０００５】
操作監視装置を用いた生産制御システムに関連する先行技術文献としては次のようなものがある。
【０００６】
【特許文献１】特開平９−１２８００３号公報
【発明の開示】
【発明が解決しようとする課題】
【０００７】
上記のような従来の操作監視装置によれば、操業時の記録情報が操作監視画面と分離しているため、以下の問題点を生じている。
（１）記録情報と操作監視を行う画面との対応付けをオペレータが負担しなければならない
（２）記録情報と操作監視画面が分離しているため、伝達ミスが発生する恐れがある
（３）記録情報と操作監視画面が分離しているため、直感的でない
（４）紙で運用する場合、紛失の恐れがある
（５）紙で運用する場合、情報の再利用がしにくい
【０００８】
本発明はこのような課題を解決しようとするもので、以下が可能な操作監視装置を提供することを目的とする。
（１）操作監視画面とそれに対する操業時の情報を対応付けること
（２）操作監視画面とそれに対応する操業時の情報を漏れなく確実にオペレータに提示すること
（３）情報の記入・閲覧が直感的な操作で実施できること
（４）情報の紛失が無いこと
（５）情報の再利用ができること
【課題を解決するための手段】
【０００９】
このような課題を達成するために、本発明のうち請求項１記載の発明に係る操作監視装置は、
操作監視画面を介してプラントの制御運転と監視が行われる操作監視装置において、
前記操作監視画面上に透明シートとその上に記入される記入情報を重ねて表示する透明シート表示部と、
前記操作監視画面ファイル、前記記入情報ファイル及び前記操作監視画面ファイルと前記記入情報ファイルの対応情報を保持する記憶部と
を備えたことを特徴とする。
【００１０】
請求項２記載の発明は、
請求項１記載の操作監視装置において、
前記対応情報に基づいて前記操作監視画面ファイルと対応する前記記入情報ファイルを前記透明シート表示部に送る画面管理部
を備えたことを特徴とする。
【００１１】
請求項３記載の発明は、
請求項１又は請求項２記載の操作監視装置において、
前記対応情報は前記記入情報ファイルと前記操作監視画面ファイルとの対応表からなることを特徴とする。
【００１２】
請求項４記載の発明は、
請求項１乃至請求項３のいずれかに記載の操作監視装置において、
前記透明シートへ情報記入をしない場合には、オペレータによる操作は前記操作監視画面に対して作用することを特徴とする。
【００１３】
請求項５記載の発明は、
請求項１乃至請求項４のいずれかに記載の操作監視装置において、
前記記入情報は少なくとも文字列、図形情報及びリンク情報のいずれかからなることを特徴とする。
【発明の効果】
【００１４】
以上の説明から明らかなように、本発明によれば、操作監視画面を介してプラントの制御運転と監視が行われる操作監視装置において、前記操作監視画面上に透明シートとその上に記入される記入情報を重ねて表示する透明シート表示部と、前記操作監視画面ファイル、前記記入情報ファイル及び前記操作監視画面ファイルと前記記入情報ファイルの対応情報を保持する記憶部とを備えたことにより、操業時の記録情報が操作監視画面と対応付けられ一体化される。
【発明を実施するための最良の形態】
【００１５】
以下本発明の実施の形態について図面を用いて詳細に説明する。
【００１６】
図１は本発明の実施の形態に係る操作監視装置の一実施例による表示画面の構成イメージを示す説明図である。画面２００は操作監視画面２０１と透明シート２０２から構成され、両者が合成して表示される。透明シート２０２は操作監視画面２０１の上に被せられる透明な仮想のシートである。図形２０３、文字２０４は透明シート２０２の上に記入・表示される操業時の情報（以下記入情報と呼ぶ）である。
【００１７】
図２は本発明の実施の形態に係る操作監視装置の一実施例を示す構成ブロック図である。操作監視画面記憶部３０１は操作監視画面２０１の表示内容をファイルとして保持する記憶手段である。透明シート情報記憶部３０２は透明シート表示部３０７により透明シート２０２上に表示される記入情報２０３、２０４をファイルとして保存する記憶手段である。画面管理部３０３はオペレータ３０４からの指示に対応して画面２００について画面表示の管理を行い、操作監視画面記憶部３０１からの操作監視画面ファイルのロード、透明シート情報記憶部３０２との間での透明シート情報ファイルのロード及びセーブ、対応情報記憶部３０５に対する検索、操作監視画面表示部３０６への起動、透明シート表示部３０７への表示について指令を出す。対応情報記憶部３０５は、操作監視画面ファイルと透明シート情報ファイルとを対応付けするための対応情報を、例えば対応表の形で保持する。操作監視画面表示部３０６は、画面管理部３０２を介して操作監視画面記憶部３０１から送られる操作監視画面ファイルの内容を表示する。透明シート表示部３０７は、画面管理部３０３を介して、透明シート情報記憶部３０２から送られる透明シート情報ファイルの内容及びオペレータ３０４により透明シート２０２上に新たに記入される記入情報の内容を表示する。透明シート表示部３０７により表示された画面は透明シート情報記憶部３０２にファイルとして保存される。
【００１８】
なお、上記装置の各部の機能は、操作監視装置２内のコンピュータにより実現され、操作監視画面記憶部３０３、透明シート情報記憶部３０４及び対応情報記憶部３０５はコンピュータの記憶装置内に形成される。
【００１９】
図１において、操作監視画面２０１は図１の操作監視画面表示部３０６により操作監視装置の表示画面に表示される。透明シート２０２は透明シート表示部３０７により操作監視画面２０１の上に重ねて表示される。図形２０３、文字２０４は透明シート表示部３０７により透明シート２０２の上に記入・表示される。操作監視画面２０１と記入情報２０３，２０４とは１対１に対応したファイルとして対応情報記憶部３０５にて対応表により対応付けられ、保存・管理される。ここで、保存対象となる記入情報には、文字列情報、図形情報、外部ファイルへのリンク情報などがある。透明シート２０２へ操業時の情報記入を行う場合には、オペレータ３０４による操作は透明シート２０２に対して作用する。透明シート２０２へ操業時の情報記入を行わない場合には、オペレータ３０４による操作は透明シート２０２を透過して操作監視画面２０１に対して作用するので、通常の操作監視画面２０１への操作は妨げられずに継続することができる。情報記入要否の切換はキーボードなどから行われる。
【００２０】
表示画面２００は、画面管理部３０３により表示制御され、起動される。このときの表示手順を図３のフローチャートを用いて以下に説明する。
（１）オペレータ３０４より画面管理部３０３へ操作監視画面２０１の表示要求が行われる（ステップ４０１）。
（２）画面管理部３０３は透明シート表示部３０７に対して表示内容の消去を指示する（ステップ４０２）。
（３）画面管理部３０３は、操作監視画面記憶部３０１に対し、オペレータ３０４からの指示に対応した操作監視画面ファイルを探し出し、操作監視画面２０１に表示するよう指示する（ステップ４０３）。
（４）画面管理部３０３は、対応情報記憶部３０５に対し、操作監視画面ファイルに対応した透明シート情報ファイルの有無を確認する（ステップ４０４，４０５）。
（５）該当する透明シート情報ファイルがある場合には、画面管理部３０３は、透明シート表示部３０７に対してファイルの表示を指示する（ステップ４０６）。
（６）（４）で該当する透明シート情報ファイルがない場合、又は（５）の処理が完了した後、表示処理を終了する（ステップ４０７）。
【００２１】
上記のような構成の操作監視装置によれば、操作監視画面と操業情報とを１対１に対応させることができるので、適切な情報を提供することができる。
また、操作監視画面上に直接操業情報が表示されるので、確実に情報伝達を行うことができる。
また、操作監視画面上で直接操業情報を閲覧することができるので、直感的である。
また、操業情報が電子化され、画面管理部によって管理されるので、紛失が無い。
また、操業情報が電子化されるので、検索や再利用が可能になる。
また、操業情報の表示は操作監視画面に対応する別画面として実装されるので、操作監視画面プログラム側に手を加えることなしに情報を付加することができる。したがって、自社製品の操作監視画面だけでなく、他社製品に対しても情報の記入や閲覧が可能である。
【００２２】
なお、上記の実施例において、操業情報を複数のオペレータ間で共有する機能を実装することによって、知識情報管理システムを構築することができる。これにより、熟練者が操業に際して留意する事項を未熟練者のオペレータに伝えることができる。
【００２３】
また、オペレータの操作状態に適合した操業情報を外部のプログラムから出力することにより、ナビゲーションシステムを構築することができる。
【００２４】
また、分散形制御システムに限らず、他の各種生産制御システムに適用することができる。
【００２５】
また、同一操作監視画面に対する記入情報ファイルを複数備えてもよい。この場合、例えば通常状態と異常状態とで記入情報を切り換えることもできる。
【図面の簡単な説明】
【００２６】
【図１】本発明の実施の形態に係る操作監視装置の一実施例における、画面２００の構成イメージを示す説明図である。
【図２】本発明の実施の形態に係る操作監視装置の一実施例を示す構成ブロック図である。
【図３】画面２００の表示手順を示すフローチャートである。
【図４】従来の分散形制御システムの構成を示す構成ブロック図である。
【図５】従来の操作監視装置の使用状況を示す説明図である。
【符号の説明】
【００２７】
２０１  操作監視画面
２０２  透明シート
２０３，２０４  記入情報
３０１  操作監視画面記憶部
３０２  透明シート情報記憶部
３０３  画面管理部
３０４  オペレータ
３０５  対応情報記憶部
３０６  操作監視画面表示部
３０７  透明シート表示部
【図１】
2008171166.tif 000003
【図２】
2008171166.tif 000004
【図３】
2008171166.tif 000005
【図４】
2008171166.tif 000006
【図５】
2008171166.tif 000007